(57)【要約】【課題】  縦置き姿勢でもディスクを動揺させることなく安定して高速回転させること。【解決手段】  ディスクＤをディスク挿入口２からローダーシャーシ１内に挿入し、カムスライダ８をスライドさせてカム機構９を介してトラバースシャーシ６を矢印ｃ方向に回動させることによりターンテーブル４にディスクＤをクランプし、該ターンテーブル４により高速回転させたディスクＤに記録されている情報を光ピックアップ３で読み取るようにしたディスク装置において、ローダーシャーシ１の前桁部１ａの垂直面１３に一体形成されて左右方向に沿って延びる長尺棒状規制杆１５ａと、カムスライダ８の側縁から左右方向に沿って該カムスライダ８に形成された長溝状規制溝１５ｂとを有する移動規制機構１５が設けられており、規制杆１５ａに規制溝１５ｂを移動可能に嵌合させている。【選択図】        図５
2009080909.tif 000002
【特許請求の範囲】
【請求項１】
ディスクを前後方向に沿って挿入するためのディスク挿入口がローダーシャーシの前面
に形成され、光ピックアップ及びターンテーブルを搭載したトラバースシャーシが前記ロ
ーダーシャーシ内に配置されると共に、該トラバースシャーシの後部が枢支軸を介してロ
ーダーシャーシに回動可能に枢支され、そのローダーシャーシの前桁部にカムスライダが
前後方向とは直交する左右方向に沿ってスライド可能に配置され、該カムスライダと前記
トラバースシャーシの前部とがカム機構を介して連結されており、ディスクをディスク挿
入口からローダーシャーシ内に挿入し、カムスライダをスライドさせてカム機構を介して
トラバースシャーシを回動させることによりターンテーブルにディスクをクランプし、該
ターンテーブルにより高速回転させたディスクに記録されている情報を光ピックアップで
読み取るようにしたディスク装置において、前記カムスライダが前後方向及び左右方向と
は直交する垂直方向に沿って移動するのを規制する移動規制機構が設けられていることを
特徴とするディスク装置。
【請求項２】
前記移動規制機構が、前記前桁部の垂直面に一体形成されて左右方向に沿って延びる長
尺棒状規制杆と、前記カムスライダの側縁から左右方向に沿って該カムスライダに形成さ
れた長溝状規制溝とを有し、前記規制杆に規制溝を移動可能に嵌合させたことを特徴とす
る請求項１に記載のディスク装置。
【請求項３】
前記規制杆から所定間隔をおいて平行する補助杆が前記垂直面に一体形成されており、
該補助杆にカムスライダの左右方向に沿う端縁を移動可能に係合させたことを特徴とする
請求項２に記載のディスク装置。
【請求項４】
ディスクを前後方向に沿って挿入するためのディスク挿入口がローダーシャーシの前面
に形成され、光ピックアップ及びターンテーブルを搭載したトラバースシャーシが前記ロ
ーダーシャーシ内に配置されると共に、該トラバースシャーシの後部が枢支軸を介してロ
ーダーシャーシに回動可能に枢支され、そのローダーシャーシの前桁部にカムスライダが
前後方向とは直交する左右方向に沿ってスライド可能に配置され、該カムスライダと前記
トラバースシャーシの前部とがカム機構を介して連結され、前記ディスク挿入口に対向し
てローダーシャーシ内の前部に回転ローラが配置されており、ディスクをディスク挿入口
からローダーシャーシ内に挿入することにより、該ディスクが回転する回転ローラにより
ローダーシャーシ内に引き込まれ、カムスライダをスライドさせてカム機構を介してトラ
バースシャーシを回動させることによりターンテーブルにディスクをクランプし、該ター
ンテーブルにより高速回転させたディスクに記録されている情報を光ピックアップで読み
取るようにしたディスク装置において、前記前桁部の垂直面に一体形成されて左右方向に
沿って延びる長尺棒状規制杆と、前記カムスライダの側縁から左右方向に沿って該カムス
ライダに形成された長溝状規制溝とを有する移動規制機構が設けられ、前記規制杆から所
定間隔をおいて平行する補助杆が前記垂直面に一体形成されており、前記規制杆に規制溝
を移動可能に嵌合させると共に、前記補助杆にカムスライダの左右方向に沿う端縁を移動
可能に係合させたことを特徴とするディスク装置。
【発明の詳細な説明】
【技術分野】
【０００１】
本発明は、例えばスロットイン式のＤＶＤレコーダやＤＶＤプレーヤなどのディスク装
置に関し、特に、縦置きや斜め置きの姿勢にした場合でもディスクを動揺させることなく
安定して高速回転させることができるようにしたものである。
【背景技術】
【０００２】
従来、ディスク装置の一例として図７の斜視図に示すものがあり、これはスロットイン
式ＤＶＤレコーダ（またはＤＶＤプレーヤ）であって、シャーシ本体１Ａと該シャーシ本
体１Ａに被せた上蓋１Ｂとからなるローダーシャーシ１を有し、該ローダーシャーシ１の
前面にディスクＤを前後方向ａ，ｂに沿って挿入するためのディスク挿入口２が形成され
、光ピックアップ３及びターンテーブル４付きスピンドルモータ５を搭載したトラバース
シャーシ６がローダーシャーシ１内に配置されると共に、該トラバースシャーシ６の後部
が枢支軸７を介してローダーシャーシ１に矢印ｃ，ｄ方向に回動可能に枢支され、そのロ
ーダーシャーシ１の前桁部１ａにカムスライダ８が前後方向ａ，ｂとは直交する左右方向
ｅ，ｆに沿ってスライド可能に配置され、該カムスライダ８に形成したカム溝９ａとトラ
バースシャーシ６の前面に突設されてカム溝９ａに嵌入されたカムプレート９ｂとからな
るカム機構９によりそのカムスライダ８とトラバースシャーシ６の前部とが連結され、デ
ィスク挿入口２に対向してローダーシャーシ１内の前部に回転ローラ１０が正逆回転ｇ，
ｈ可能に配置されている。なお、１１はシャーシ本体１Ａの両側面に一体突設した脚部で
ある。
【０００３】
動作原理を説明すると、ローディング時には、図７に実線で示すように、ディスクＤを
ディスク挿入口２からローダーシャーシ１内に挿入（スロットイン）することにより、そ
れを検知する検知信号に基づいて回転ローラ１０が正転ｇされ、ディスクＤがローダーシ
ャーシ１内に引き込まれる。続いて、ディスクＤの挿入に連動するディスク連動機構（図
示せず）によりカムスライダ８を矢印ｅ方向にスライドさせ、カム機構９を介してトラバ
ースシャーシ６を矢印ｃ方向に回動させてターンテーブル４をディスクＤに係合させ、そ
のターンテーブル４にディスクＤをクランプする。その後、スピンドルモータ５を駆動し
てターンテーブル４によりディスクＤを高速回転させ、該ディスクＤの半径方向に沿って
移動する光ピックアップ３によりそのディスクＤに記録されている情報を読み取る。アン
ローディング時には、上記とはほぼ逆の手順でディスク挿入口２からディスクＤを取り出
す。なお、関連する技術の一例として特許文献１に記載したものがある。
【特許文献１】特開２００７−３５１４０号公報
【発明の開示】
【発明が解決しようとする課題】
【０００４】
上記従来の構成では、図７に実線で示すように、ローダーシャーシ１を横置き姿勢にし
た場合には、カムスライダ８が前桁部１ａの水平面１２上に配置されており、前桁部１ａ
の前後方向ａ，ｂ及び左右方向ｅ，ｆに対して直交する垂直方向ｉ，ｊの垂直面１３に沿
ってカムスライダ８が移動しないので、そのカムスライダ８にカム機構９を介して連結さ
れているトラバースシャーシ６の姿勢も安定し、スピンドルモータ５によりターンテーブ
ル４を介してディスクＤを高速回転させたときに、該ディスクＤが垂直方向ｉ，ｊに沿っ
て動揺されることがなく、そのディスクＤに記録されている情報を光ピックアップ３によ
り確実に読み取ることができる。
【０００５】
しかし、図７に仮想線で示すように、ローダーシャーシ１を縦置き姿勢にした場合には
、カムスライダ８が垂直方向ｉ，ｊに沿って移動するのを規制するものがないので、スピ
ンドルモータ５によりターンテーブル４を介してディスクＤを高速回転させたときに、そ
の回転に伴う振動でトラバースシャーシ６の前部が垂直方向ｉ，ｊに動揺され、その動揺
によりディスクＤの高速回転が不安定となり、該ディスクＤの記録されている情報の光ピ
ックアップ３による読み取りに誤差が生じることがある。
【０００６】
本発明は、上記従来の欠点に鑑み、ローダーシャーシを縦置きや斜め置きの姿勢にした
場合でもディスクを動揺させることなく安定して高速回転させることができるようにした
ディスク装置を提供することを目的としている。
【課題を解決するための手段】
【０００７】
上記目的を達成するため、請求項１に記載の発明は、ディスクを前後方向に沿って挿入
するためのディスク挿入口がローダーシャーシの前面に形成され、光ピックアップ及びタ
ーンテーブルを搭載したトラバースシャーシが前記ローダーシャーシ内に配置されると共
に、該トラバースシャーシの後部が枢支軸を介してローダーシャーシに回動可能に枢支さ
れ、そのローダーシャーシの前桁部にカムスライダが前後方向とは直交する左右方向に沿
ってスライド可能に配置され、該カムスライダと前記トラバースシャーシの前部とがカム
機構を介して連結されており、ディスクをディスク挿入口からローダーシャーシ内に挿入
し、カムスライダをスライドさせてカム機構を介してトラバースシャーシを回動させるこ
とによりターンテーブルにディスクをクランプし、該ターンテーブルにより高速回転させ
たディスクに記録されている情報を光ピックアップで読み取るようにしたディスク装置に
おいて、前記カムスライダが前後方向及び左右方向とは直交する垂直方向に沿って移動す
るのを規制する移動規制機構が設けられていることを特徴としている。
【０００８】
請求項２に記載の発明は、請求項１に記載の発明において、前記移動規制機構が、前記
前桁部の垂直面に一体形成されて左右方向に沿って延びる長尺棒状規制杆と、前記カムス
ライダの側縁から左右方向に沿って該カムスライダに形成された長溝状規制溝とを有し、
前記規制杆に規制溝を移動可能に嵌合させたことを特徴としている。
【０００９】
請求項３に記載の発明は、請求項２に記載の発明において、前記規制杆から所定間隔を
おいて平行する補助杆が前記垂直面に一体形成されており、該補助杆にカムスライダの左
右方向に沿う端縁を移動可能に係合させたことを特徴としている。
【００１０】
請求項４に記載の発明は、ディスクを前後方向に沿って挿入するためのディスク挿入口
がローダーシャーシの前面に形成され、光ピックアップ及びターンテーブルを搭載したト
ラバースシャーシが前記ローダーシャーシ内に配置されると共に、該トラバースシャーシ
の後部が枢支軸を介してローダーシャーシに回動可能に枢支され、そのローダーシャーシ
の前桁部にカムスライダが前後方向とは直交する左右方向に沿ってスライド可能に配置さ
れ、該カムスライダと前記トラバースシャーシの前部とがカム機構を介して連結され、前
記ディスク挿入口に対向してローダーシャーシ内の前部に回転ローラが配置されており、
ディスクをディスク挿入口からローダーシャーシ内に挿入することにより、該ディスクが
回転する回転ローラによりローダーシャーシ内に引き込まれ、カムスライダをスライドさ
せてカム機構を介してトラバースシャーシを回動させることによりターンテーブルにディ
スクをクランプし、該ターンテーブルにより高速回転させたディスクに記録されている情
報を光ピックアップで読み取るようにしたディスク装置において、前記前桁部の垂直面に
一体形成されて左右方向に沿って延びる長尺棒状規制杆と、前記カムスライダの側縁から
左右方向に沿って該カムスライダに形成された長溝状規制溝とを有する移動規制機構が設
けられ、前記規制杆から所定間隔をおいて平行する補助杆が前記垂直面に一体形成されて
おり、前記規制杆に規制溝を移動可能に嵌合させると共に、前記補助杆にカムスライダの
左右方向に沿う端縁を移動可能に係合させたことを特徴としている。
【発明の効果】
【００１１】
請求項１に記載の発明によれば、ローダーシャーシを縦置きや斜め置きの姿勢にした場
合でも、移動規制機構によりカムスライダが垂直方向に沿って移動するのを規制している
から、ターンテーブルによりディスクを高速回転させたときに、その回転に伴う振動でカ
ムスライダが垂直方向に沿って動揺されることがなく、トラバースシャーシの姿勢も安定
している。従って、ターンテーブルによりディスクを動揺させることなく安定して高速回
転させて、そのディスクに記録されている情報を光ピックアップにより確実に読み取るこ
とができる。
【００１２】
請求項２に記載の発明によれば、移動規制機構が長尺棒状規制杆と長溝状規制溝とを有
しており、その規制杆に規制溝を移動可能に嵌合させるだけで、ローダーシャーシを縦置
きや斜め置きの姿勢にした場合でも、カムスライダが垂直方向に沿って移動するのを確実
に規制することができる。
【００１３】
また、規制杆がローダーシャーシの前桁部に一体形成されると共に、規制溝がカムスラ
イダに形成されており、部品点数が増加していないから、経済的である。
【００１４】
請求項３に記載の発明によれば、補助杆と規制杆とでカムスライダを挟んでいるので、
該カムスライダが垂直方向に沿って移動しないように一層確実に規制することができる。
また、補助杆がローダーシャーシの前桁部に一体形成されており、部品点数が増加してい
ないから、経済的である。
【００１５】
請求項４に記載の発明は実施の一形態（図１〜図６参照）に対応するものであって、こ
れによれば、ローダーシャーシを縦置きや斜め置きの姿勢にした場合でも、移動規制機構
によりカムスライダが垂直方向に沿って移動するのを規制しているから、ターンテーブル
によりディスクを高速回転させたときに、その回転に伴う振動でカムスライダが垂直方向
に沿って動揺されることがなく、トラバースシャーシの姿勢も安定している。従って、タ
ーンテーブルによりディスクを動揺させることなく安定して高速回転させて、そのディス
クに記録されている情報を光ピックアップにより確実に読み取ることができる。
【００１６】
また、移動規制機構が長尺棒状規制杆と長溝状規制溝とを有しており、その規制杆に規
制溝を移動可能に嵌合させるだけで、カムスライダが垂直方向に沿って移動するのを確実
に規制することができる。
【００１７】
更に、補助杆と規制杆とでカムスライダを挟んでいるので、該カムスライダが垂直方向
に沿って移動しないように一層確実に規制することができる。
【００１８】
しかも、規制杆及び補助杆がローダーシャーシの前桁部に一体形成されると共に、規制
溝がカムスライダに形成されており、部品点数が増加していないから、経済的である。
【００１９】
要するに、ローダーシャーシを縦置きや斜め置きの姿勢にした場合でもディスクを動揺
させることなく安定して高速回転させることができるようにした使い勝手の良いスロット
イン式のディスク装置を提供するものである。
【発明を実施するための最良の形態】
【００２０】
図１〜図６は本発明の実施の一形態であるディスク装置を示すものであり、これはスロ
ットイン式ＤＶＤレコーダ（またはＤＶＤプレーヤ）を縦置き姿勢にしたものであって、
図１は同正面図、図２は同アンローディング状態の縦断面図、図３は同アンローディング
状態の横断面図、図４は同要部の斜視図、図５は同ローディング状態の縦断面図、図６は
同ローディング状態の横断面図である。
【００２１】
図１及び図２に示すように、合成樹脂製ローダーシャーシ１のシャーシ本体１Ａが、互
いに所定間隔をおいて平行する前後両桁部１ａ，１ｂと、左右両側板部１ｃ，１ｄとを有
し、合成樹脂製カムスライダ８が横断面略Ｌ字状に形成されて前桁部１ａの水平面１２か
ら垂直面１３にかけて左右方向ｅ，ｆにスライド可能に配置されている。
【００２２】
図３及び図４に示すように、前桁部１ａの垂直面１３に一体形成されて左右方向ｅ，ｆ
に沿って延びる横断面四角形の長尺棒状規制杆１５ａと、前記カムスライダ８の側縁８ａ
から左右方向ｅ，ｆに沿って該カムスライダ８に形成された長溝状規制溝１５ｂとを有す
る移動規制機構１５が設けられ、該規制杆１５ａの幅ｈ１が規制溝１５ｂの幅ｈ２と同一
またはわずかに小さく設定され、規制杆１５ａから所定間隔をおいて平行する横断面四角
形の長尺棒状補助杆１６が垂直面１３に一体形成されており、規制杆１５ａに規制溝１５
ｂを移動可能に嵌合させると共に、補助杆１６にカムスライダ８の左右方向ｅ，ｆに沿う
端縁８ｂを移動可能に係合させている。なお、図２に示すように、カムスライダ８の裏面
に突設した略Ｌ字状抜止片８ｃが水平面１２の左右方向ｅ，ｆに延びる長孔状係合孔１２
ａに移動可能に係合されている。上記以外の構成は図７に示す構成とほぼ同じであるから
、同一部分に同一符号を付してその説明を省略する。
【００２３】
図１及び図２に示すように、トラバースシャーシ６上のフィードモータ１７によりウォ
ームギヤ１８及びウォームホイール１９を介して正逆回転される第１ピニオン２０が光ピ
ックアップ３の第１ラック２１に噛合され、フィードモータ１７により歯車機構２２を介
して正逆回転ｍ，ｎされる第２ピニオン２３がローダーシャーシ１の前桁部１ａに配置さ
れ、該第２ピニオン２３に対向してカムスライダ８に第２ラック２４が一体形成されてい
る。
【００２４】
図１及び図２に示すように、回転ローラ１０がローダーシャーシ１の前桁部１ａ上に配
置した支持板２６に回転可能に配置されると共に、該回転ローラ１０に対向して上蓋１Ｂ
の下面にガイド板２７が配置され、そのガイド板２７と回転ローラ１０とがばね（図示せ
ず）により互いに接近する方向に付勢されて互いに一定範囲内離接可能に形成され、回転
ローラ１０の一端の歯車２８が歯車機構（図示せず）を介して第２ピニオン２３に連動連
結されている。
【００２５】
図２に示すように、上蓋１Ｂのターンテーブル４に対向する位置に円形凹部２９が形成
され、該円形凹部２９内に移動可能に配置したクランパ３０の端部がその円形凹部２９の
底板の貫通孔２９ａを通ってローダーシャーシ１内に突出され、クランパ３０の中央部に
接触する横桁３１を介してばね（図示せず）により該クランパ３０がターンテーブル４に
向けて付勢されている。
【００２６】
動作原理を説明すると、ローディング時には、図１〜図３に示すように、ディスクＤを
ディスク挿入口２からローダーシャーシ１内に挿入（スロットイン）すると、それを検知
する検知信号に基づいてフィードモータ１７を正転駆動することにより、歯車機構２２及
び第２ピニオン２３などを介して回転ローラ１０が正転ｇされ、該回転ローラ１０とガイ
ド板２７とで挟まれたディスクＤがローダーシャーシ１内に引き込まれる。
【００２７】
続いて、ディスクＤの挿入に連動するディスク連動機構（図示せず）によりカムスライ
ダ８を矢印ｅ方向に押し出して第２ラック２４を第２ピニオン２３に噛合させ、該第２ピ
ニオン２３の正転ｍによりカムスライダ８を矢印ｅ方向にスライドさせ、カム機構９を介
してトラバースシャーシ６を矢印ｃ方向に回動させる。これにより、図５及び図６に示す
ように、ターンテーブル４とクランパ３０とでディスクＤをクランプし、回転ローラ１０
をディスクＤから離間させる。
【００２８】
その後、図１に仮想線で示すように、第２ラック２４が第２ピニオン２３から離間され
、スピンドルモータ５を駆動してターンテーブル４によりディスクＤを高速回転させ、フ
ィードモータ１７を駆動して第１ピニオン２０及び第１ラック２１を介して光ピックアッ
プ３をディスクＤの半径方向に沿って移動させ、該光ピックアップ３によりディスクＤに
記録されている情報を読み取る。
【００２９】
アンローディング時には、第２ラック２４を図１に仮想線で示す位置に待機させている
状態で、エジェクト釦を押すことにより、フィードモータ１７が逆転駆動されて歯車機構
２２を介して第２ピニオン２３が逆転ｎされ、それとほぼ同時に、光ピックアップ３をタ
ーンテーブル４に接近させ、第１ラック２１の先端のトリガーピン３３をカムスライダ８
のトリガーレバー３４に係合させることにより、該カムスライダ８を矢印ｆ方向に押し出
し、図１に仮想線で示す位置に待機する第２ラック２４を第２ピニオン２３に噛合させ、
該第２ピニオン２３の逆転ｎによりカムスライダ８を矢印ｆ方向にスライドさせ、カム機
構９を介してトラバースシャーシ６を矢印ｄ方向に回動させる。これにより、図２及び図
３に示すように、ターンテーブル４がディスクＤから離間され、該ディスクＤが回転ロー
ラ１０とガイド板２７とで挟まれ、その回転ローラ１０の逆転ｈによりディスクＤがディ
スク挿入口２から取り出される。
【００３０】
上記構成によれば、ローダーシャーシ１を縦置き（または斜め置き）の姿勢にした場合
でも、規制杆１５ａ及び規制溝１５ｂからなる移動規制機構１５によりカムスライダ８が
垂直方向ｉ，ｊに沿って移動するのを規制しているから、ターンテーブル４によりディス
クＤを高速回転させたときに（図５参照）、その回転に伴う振動でカムスライダ８が垂直
方向ｉ，ｊに沿って動揺されることがなく、トラバースシャーシ６の姿勢も安定している
。従って、ターンテーブル４によりディスクＤを動揺させることなく安定して高速回転さ
せて、そのディスクＤに記録されている情報を光ピックアップ３により確実に読み取るこ
とができる。
【００３１】
また、移動規制機構１５の規制杆１５ａに規制溝１５ｂを移動可能に嵌合させるだけで
、カムスライダ８が垂直方向ｉ，ｊに沿って移動するのを確実に規制することができる。
【００３２】
更に、補助杆１６と規制杆１５ａとでカムスライダ８を挟んでいるので、該カムスライ
ダ８が垂直方向ｉ，ｊに沿って移動しないように一層確実に規制することができる。
【００３３】
しかも、規制杆１５ａ及び補助杆１６がローダーシャーシ１の前桁部１ａに一体形成さ
れると共に、規制溝１５ｂがカムスライダ８に形成されており、部品点数が増加していな
いから、経済的である。
【００３４】
要するに、ローダーシャーシ１を縦置きや斜め置きの姿勢にした場合でもディスクＤを
動揺させることなく安定して高速回転させることができるようにした使い勝手の良いスロ
ットイン式のディスク装置を提供するものである。
【産業上の利用可能性】
【００３５】
上記実施の形態では、スロットイン式ＤＶＤレコーダ（またはＤＶＤプレーヤ）を例に
あげて説明したが、これに限定されるわけではなく、例えばディスクＤをトレイで前後方
向ａ，ｂに沿って搬送するトレイ式のＤＶＤレコーダ（またはＤＶＤプレーヤ）などのデ
ィスク装置にも適用される。
【図面の簡単な説明】
【００３６】
【図１】本発明の実施の一形態であるディスク装置を示す正面図である。
【図２】同アンローディング状態の縦断面図である。
【図３】同アンローディング状態の横断面図である。
【図４】同要部の斜視図である。
【図５】同ローディング状態の縦断面図である。
【図６】同ローディング状態の横断面図である。
【図７】従来例を示す斜視図である。
【符号の説明】
【００３７】
１            ローダーシャーシ
１ａ          ローダーシャーシの前桁部
２            ディスク挿入口
３            光ピックアップ
４            ターンテーブル
６            トラバースシャーシ
７            枢支軸
８            カムスライダ
８ａ          カムスライダの側縁
８ｂ          カムスライダの端縁
９            カム機構
１０          回転ローラ
１２          前桁部の水平面
１３          前桁部の垂直面
１５          移動規制機構
１５ａ        規制杆
１５ｂ        規制溝
１６          補助杆
Ｄ            ディスク
ａ，ｂ        前後方向
ｅ，ｆ        左右方向
ｉ，ｊ        垂直方向
【図１】
2009080909.tif 000003
【図２】
2009080909.tif 000004
【図３】
2009080909.tif 000005
【図４】
2009080909.tif 000006
【図５】
2009080909.tif 000007
【図６】
2009080909.tif 000008
【図７】
2009080909.tif 000009